(57)【要約】
【課題】　　　より簡単に特定の遊技機に加えられる不正行為の発見できる遊技機の監視システムを提供する。
【解決手段】　ＤＶＲサーバ３には、ＣＣＴＶカメラ２が接続されており、撮影した動画像データがハードディスクドライブ３ａに格納される。遊技機１には、開閉可能なフロントパネル１ｄに、マグネットスイッチ１ｆを備えている。フロントパネル１ｄが開かれると、マグネットスイッチ１ｆがオンしたことをＤＶＲサーバ３が検出し、その検出時刻を動画像データに関するログとして記録する。したがって、遊技機１に対する不正行為を発見する際には、膨大な動画像データをモニタ４で見る場合であっても、検出時刻を手がかりにして当たりを付けて調べることができる。
【選択図】　　図１
0003099685.tif 000002
【実用新案登録請求の範囲】
【請求項１】
　複数台の遊技機を撮影する監視カメラと、監視カメラが撮影した動画像データを記録する記憶装置と、監視カメラと記憶装置に対して接続され、これらの動作を制御するコンピュータと、を備える遊技機の監視システムにおいて、
　各遊技機の機内を閉塞する開閉扉に、前記コンピュータに対して接続されるとともに少なくとも開閉扉の開状態を検出するスイッチを取付け、該コンピュータは、該スイッチの作動により開閉扉の開状態が特定の遊技機で検出されると、その検出時刻を、監視カメラで撮影した動画像データに関するログとして記録するようになっていることを特徴とする遊技機の監視システム。
【請求項２】
　複数台の遊技機を撮影する監視カメラと、監視カメラが撮影した動画像データを記録する記憶装置と、監視カメラと記憶装置に対して接続され、これらの動作を制御するコンピュータと、を備える遊技機の監視システムにおいて、
　コンピュータは、複数台の遊技機の稼働管理を行うホールコンピュータと、各遊技機の機内を閉塞する開閉扉に取付けた開閉扉の少なくとも開状態を検出するスイッチと、に対して接続されており、ホールコンピュータで管理する各遊技機ごとの実際の入賞稼働状況を入賞確率設定と比較して、特定の遊技機の稼働状況が入賞確率設定と異なることを検出した場合、又は、スイッチの作動により特定の遊技機の開閉扉で開状態を検出した場合、の少なくともいずれかの場合には、その検出時刻を、監視カメラで撮影した動画像データに関するログとして記録するようになっていることを特徴とする遊技機の監視システム。
【請求項３】
　コンピュータは、開閉扉が継続的に開状態とされている開放時間をカウントし、それが設定時間を超える場合に、検出時刻を動画像データに関するログとして記録するようになっている請求項１又は請求項２記載の遊技機の監視システム。
【請求項４】
　コンピュータは、スイッチの作動により特定の遊技機の開閉扉で開状態が検出されると、その遊技機を拡大撮影するように監視カメラを制御するようになっている請求項１〜請求項３何れか１項記載の遊技機の監視システム。
【請求項５】
　コンピュータは、有線又は無線で接続されたモニタの画面に、特定の遊技機について検出時刻を記録したことを、リアルタイムで表示するようになっている請求項１〜請求項４何れか１項記載の遊技機の監視システム。
【請求項６】
　コンピュータは、有線又は無線で接続されたスピーカ又はレシーバに、特定の遊技機について検出時刻を記録したことを、リアルタイムで音声出力するようになっている請求項１〜請求項５何れか１項記載の遊技機の監視システム。
【考案の詳細な説明】
【技術分野】
【０００１】
　この考案は、パチンコ、スロットなどの遊技機を監視カメラで監視するシステムに関する。
【背景技術】
【０００２】
　パチンコやスロットなど遊技機に対する不正行為が社会問題化して久しい。こうした不正行為としては、例えば、営業時間中か否かを問わず、遊技機の機内を閉塞する開閉扉を開けて、機内に備える正規の基板を、入賞確率を高めることのできる不正な基板と取り替えてしまうといったことが行われている。このため、遊技場では、営業時間中や閉店後における遊技機に対する不正行為を発見すべく監視システムが広く導入されている。
【０００３】
　従来の監視システムとしては、監視カメラとしてのＣＣＴＶカメラを店舗内に設置して、その様子を店舗の事務所内などで人的に監視するような単純な例もある。ところが最近では、ディジタルビデオレコーディング（以下、ＤＶＲという。）システムを使った監視システムの普及が進んできている。ＤＶＲシステムでは、ＤＶＲサーバが中核的な機能を担っており、ＤＶＲサーバは、例えば、ＣＣＴＶカメラで撮影された動画像データをディジタル化して圧縮したり、動画像データをハードディスクドライブ装置のような記憶装置に記録したり、記録して保存した動画像データをモニタの画面で表示する、といった動作を制御する。更に、一歩進んで、ＤＶＲサーバをインターネット接続し、遠隔先で動画像データを再生できるようにしたシステムもある。
【考案の開示】
【考案が解決しようとする課題】
【０００４】
　こうしたＤＶＲシステムのような監視システムは、撮影した動画像データの記録・保存・再生という機能や、遠隔監視機能といった付加的な機能面では確かに優れている。しかしながら、従来の監視システムは、多数の遊技機を鳥瞰的に撮影するに止まるものが多く、特定の遊技機に加えられる不正行為の発見は、結局のところ、モニタの画面に映し出された動画像データを人手で精査するのが、ほとんどである。
【０００５】
　以上のような従来技術を背景になされたのが本考案による遊技機の監視システムである。すなわち、本考案による遊技機の監視システムの目的は、より簡単に特定の遊技機に加えられる不正行為の発見できるようにすることにある。
【課題を解決するための手段】
【０００６】
　上記目的を達成すべく本考案は、複数台の遊技機を撮影する監視カメラと、監視カメラが撮影した動画像データを記録する記憶装置と、監視カメラと記憶装置に対して接続され、これらの動作を制御するコンピュータと、を備える遊技機の監視システムについて、各遊技機の機内を閉塞する開閉扉に、前記コンピュータに対して接続されるとともに少なくとも開閉扉の開状態を検出するスイッチを取付け、該コンピュータは、該スイッチの作動により開閉扉の開状態が特定の遊技機で検出されると、その検出時刻を、監視カメラで撮影した動画像データに関するログとして記録するようになっていることを特徴とする遊技機の監視システムを提供する。
【０００７】
　この考案の監視システムでは、監視カメラで複数台の遊技機を撮影して、動画像データを記録するだけでなく、特定の遊技機の開閉扉の開状態を検出するスイッチの作動と連動して、その検出時刻を監視カメラで撮影した動画像データのログとして記録する。このため、例えばモニタで動画像データを見て不正行為を発見する場合でも、スイッチの作動に基づく検出時刻を発見の手がかりにし、当たりを付けて特定の遊技機に対するチェックが行えるので、より少ない労力で容易に不正行為を発見できる。
【０００８】
　また、上記目的を達成すべく本考案は、複数台の遊技機を撮影する監視カメラと、監視カメラが撮影した動画像データを記録する記憶装置と、監視カメラと記憶装置に対して接続され、これらの動作を制御するコンピュータと、を備える遊技機の監視システムについて、コンピュータが、複数台の遊技機の稼働管理を行うホールコンピュータと、各遊技機の機内を閉塞する開閉扉に取付けた開閉扉の少なくとも開状態を検出するスイッチと、に対して接続されており、ホールコンピュータで管理する各遊技機ごとの実際の入賞稼働状況を入賞確率設定と比較して、特定の遊技機の稼働状況が入賞確率設定と異なることを検出した場合、又は、スイッチの作動により特定の遊技機の開閉扉で開状態を検出した場合、の少なくともいずれかの場合には、その検出時刻を、監視カメラで撮影した動画像データに関するログとして記録するようになっていることを特徴とする遊技機の監視システムを提供する。
【０００９】
　この考案の監視システムでは、監視カメラで複数台の遊技機を撮影して、動画像データを記録するだけではなく、ホールコンピュータで管理する各遊技機ごとの実際の入賞稼働状況を入賞確率設定と比較して、特定の遊技機の稼働状況が入賞確率設定と異なることと連動して、その検出時刻を監視カメラで撮影した動画像データのログとして記録する。あるいは、特定の遊技機の開閉扉の開状態を検出するスイッチの作動と連動して、その検出時刻を監視カメラで撮影した動画像データのログとして記録する。このため、例えばモニタで動画像データを見て不正行為を発見する場合でも、スイッチの作動に基づく検出時刻を発見の手がかりにし、当たりを付けて特定の遊技機に対するチェックが行えるので、より少ない労力で容易に不正行為を発見できる。
【００１０】
　本考案の監視システムでは、コンピュータが、開閉扉が継続的に開状態とされている開放時間をカウントし、それが設定時間を超える場合に、検出時刻を動画像データに関するログとして記録するようになっている。
【００１１】
　したがって、設定時間として、例えば店舗の店員が遊技機の内部を簡単にチェックするための所要時間を設定しておけば、不正な開閉扉の開操作と、適正な開閉扉の開操作とをふるいに掛けることが出来るので、ログとして記録される検出時刻の頻度が低減される。このため、より少ない労力で容易に不正行為を発見できる。
【００１２】
　本考案の監視システムでは、コンピュータが、スイッチの作動により特定の遊技機の開閉扉で開状態が検出されると、その遊技機を拡大撮影するように監視カメラを制御するようになっている。
【００１３】
　したがって、注目すべき特定の遊技機に対する監視を強化でき、より少ない労力で容易に不正行為を発見できる。
【００１４】
　以上の本考案による監視システムでは、検出時刻の記録だけでなく、コンピュータが音や光で遊技機の異常を通報するものとして構成することもできる。この場合、例えば、コンピュータは、有線又は無線で接続されたモニタの画面に、特定の遊技機について検出時刻を記録したことを、リアルタイムで表示するものとして構成できる。また、コンピュータは、有線又は無線で接続されたスピーカ又はレシーバに、特定の遊技機について検出時刻を記録したことを、リアルタイムで音声出力するものとして構成できる。そして、これらによれば、リアルタイムで視覚や聴覚をつうじて特定の遊技機に対する不正行為が行われていることを発見できる。
【００１５】
　以上の本考案による監視システムでは、コンピュータと監視カメラとの接続、またコンピュータと記憶装置との接続、コンピュータとホールコンピュータとの接続は、有線又は無線の何れの形式であってもよい。
【００１６】
　また、以上の本考案による監視システムでは、コンピュータに複数台の監視カメラを接続することができる。この場合には、監視カメラごとに、本考案の監視システムを適用することができる。
【考案の効果】
【００１７】
　本考案による遊技機の監視システムによれば、不正行為が行われた遊技機の特定精度を高めることができ、より少ない労力で容易に不正行為を発見できる。したがって、射幸性のある遊技機や店舗に対する信頼を高めることができる。
【考案を実施するための最良の形態】
【００１８】
　以下、本考案の実施形態の一例について、図面を参照しつつ説明する。なお、各図で同一の構成要素については共通の符号を付して重複説明を省略する。
【００１９】
　図１で示すように、店舗内Ｒｉの遊技場ｐｚには、複数の遊技機１と、遊技場ｐｚの遊技機１を撮影する監視カメラとしてのＣＣＴＶカメラ２が備わっている。この実施形態の遊技機１はスロットマシンを例示している。遊技機１には、上部に、遊技機１を演出する発光部１ａとスピーカ１ｂとを備えている。１ｃは表示画面であり、遊技内容はここに表示される。１ｄは開閉蓋としてのフロントパネルである。フロントパネル１ｄには、その長手方向に沿う一端側にキーロック部１ｅを取付けてあり、その他端側には、フロントパネル１ｄの回動点となる図外のヒンジを備えている。１ｆはマグネットスイッチであり、フロントパネル１ｄか、これによって閉塞される遊技機１の図示せぬ開口縁か、のいずれか一方にマグネット部が、その他方にスイッチ部が取付けられている。そして、フロントパネル１ｄが閉じている間は、マグネット部の磁力によりスイッチ部が繋がっているが、フロントパネル１ｄが開いたときには、磁力が無くなりスイッチ部がオンされて、開状態であることを示す信号を発生する。遊技機１の機内には、ＲＯＭ基板１ｇが装備されており、これにより、入賞確率や表示画面１ｃでの表示内容が制御される。ＣＣＴＶカメラ２は、ズーム機能により拡大撮影が可能である。
【００２０】
　店舗内Ｒｉの事務室ｐｏには、ＤＶＲサーバ３が備わっている。ＤＶＲサーバ３は、配線Ｌ１を介して、前述した遊技機１のマグネットスイッチ１ｆと電気的に接続されており、配線Ｌ２を介して、遊技場ｐｚに据え付けたＣＣＴＶカメラ２に電気的に接続されている。４はモニタで、各ＣＣＴＶカメラ２で撮影された動画像データを単独又は一括して表示したり、ＤＶＲサーバ３の操作画面などが表示される。５はスピーカで、ＤＶＲサーバ３からの音声出力を受けて、音声を放出する。６はモデムであり、これによってＤＶＲサーバ３は店舗外Ｒｏのインターネット網７へ接続可能とされている。また、ＤＶＲサーバ３は、例えばノート型コンピュータやＰＤＡ、携帯電話機などの外部端末８ａ，８ｂによる遠隔監視制御が可能とされており、動画像データの閲覧やＤＶＲサーバ３の機能制御などが店舗外Ｒｏからできるようになっている。そして、ＤＶＲサーバ３には、店舗内Ｒｉの各店員が装着するコミュニケーションレシーバ９との間で無線通信する通信装置１０が接続されている。したがって、ＤＶＲサーバ３からの所定の音声の出力命令が送出されると、通信装置１０は、各店員のコミュニケーションレシーバ９に対して当該音声を送信し、各店員はそれを聞くことができるようになっている。
【００２１】
　次に、本実施形態による監視システムの動作を説明する。
【００２２】
　各ＣＣＴＶカメラ２は、遊技場Ｐｚで複数の遊技機１を鳥瞰的に撮影し続ける。各ＣＣＴＶカメラ２で撮影された映像は、それぞれ配線Ｌ２を通じてＤＶＲサーバ３に入力される。ＤＶＲサーバ３では、映像をＭＰＥＧ２形式などでディジタル変換した動画像データを作成し、内蔵する図示せぬハードディスクドライブ装置３ａに格納される。
【００２３】
　そして、いずれかの遊技機１のフロントパネル１ｄが開かれると、マグネットスイッチ１ｆがオンする。ＤＶＲサーバ３は、配線Ｌ１を通じてフロントパネル１ｄの開状態と、フロントパネル１ｄが開状態とされた遊技機１と、を検出する。この検出開始に伴いＤＶＲサーバ３は、検出時刻を記録するとともに、フロントパネル１ｄが継続的に開状態とされている開放時間をカウントする。この結果、所定の設定時間、すなわち店員が遊技機の内部を簡単に点検するための所要時間（例えば１０秒程度）を超える場合には、前述のごとく作成された動画像データに関するログとして、当該検出時刻が記録される。
【００２４】
　そして、検出時刻の記録とともに、モニタ４には検出時刻が記録されたことがポップアップ表示されたり、画面の色が変わるようになっている。
【００２５】
　また、ＤＶＲサーバ３は、特定の遊技機１についてフロントパネル１ｄが開いていることを、スピーカ５を通じて音声出力する。このように事務室Ｐｏ内のスピーカ５ではなく、遊技機１のスピーカ１ｂを通じて音声出力することもできるし、遊技機１の発光部１ａを通常の遊技中の発光態様とは異なる態様で発光させることもできるようになっている。
【００２６】
　さらにＤＶＲサーバ３は、通信装置１０を通じて各店員が装着しているコミュニケーションレシーバ９に対して、検出時刻が記録されたこと、つまり特定の遊技機１についてフロントパネル１ｄが開状態とされていることを伝える自動音声を送信する。したがって、各店員は、その遊技機１へ急行して、その異常の有無を即座にチェックすることができる。
【００２７】
　そして、ＤＶＲサーバ３は、ＣＣＴＶカメラ２を制御して、フロントパネル１ｄの開状態が検出された遊技機１を拡大撮影する。この場合には、検出時刻の記録の有無に拘わらず、フロントパネル１ｄの開状態が検出された時点で拡大撮影が開始される。
【００２８】
　次に、上記実施形態による遊技機の監視システムの作用・効果を説明する。
【００２９】
　ＤＶＲサーバ３は、フロントパネル１ｄの開状態の検出時刻を動画像データに関するログとして記録するので、モニタ４で動画像データを見て不正行為を発見する場合でも、検出時刻を手がかりにし、当たりを付けて特定の遊技機１に対するチェックが行えるので、より少ない労力で容易に不正行為を発見できる。
【００３０】
　ＤＶＲサーバ３は、フロントパネル１ｄの開放時間が所定の設定時間を超える場合に、検出時刻を動画像データに関するログとして記録するので、フロントパネル１ｄに対する不正な開操作と、適正な開操作とをふるいに掛けることが出来るので、ログとして記録される検出時刻の頻度が低減される。このため、より少ない労力で容易に不正行為を発見できる。
【００３１】
　ＤＶＲサーバ３は、ＣＣＴＶカメラ２を制御して、フロントパネル１ｄの開状態が検出された遊技機１を拡大撮影するので、注目すべき特定の遊技機１に対する監視を強化でき、より少ない労力で容易に不正行為を発見できる。
【００３２】
　ＤＶＲサーバ３は、モニタ４の画面に、特定の遊技機１について検出時刻を記録したことを、リアルタイムで表示する。また、ＤＶＲサーバ３は、スピーカ５、遊技機１のスピーカ１ｂ、コミュニケーションレシーバ９に、特定の遊技機１について検出時刻を記録したことを、リアルタイムで音声出力する。したがって、リアルタイムで視覚や聴覚をつうじて特定の遊技機１に対する不正行為が行われていることを発見できる。
【００３３】
　なお、以上の実施形態では、遊技機としてパチスロ台を例示したが、パチンコ台やその他の遊技機であってもよい。また、以上の実施形態のＤＶＲサーバ３は、検出時刻の記録を、通信装置１０を通じたコミュニケーションレシーバ９や、スピーカ５、モニタ４、遊技機１の発光部１ａ、遊技機１のスピーカ１ｂを使い、視覚や聴覚で分かるようにすることとしたが、これらの一部や全部を利用しなくてもよい。さらに、以上の実施形態では、本考案でいうスイッチの一例としてマグネットスイッチ１ｆを例示したが、他のスイッチを利用してもよい。要するに、開閉扉（上記実施形態ではフロントパネル１ｄ）が開かれたことを検出できればよい。そして、上記実施形態では配線Ｌ１，Ｌ２で有線接続しているが、無線接続としてもよい。更に、上記実施形態では、フロントパネル１ｄの開放時間が所定の設定時間を経過することによって検出時刻を動画像データに関するログとして記録するようにしたが、マグネットスイッチ１ｆを通じた開状態の検出を受けて直ちに、検出時刻を動画像データに関するログとして記録するようにしてもよい。
【００３４】
　図２は、本考案の第２実施形態による遊技機の監視システムである。この実施形態では、事務室ｐｏにホールコンピュータ１１が設置されている。ホールコンピュータ１１は、配線Ｌ３を介して各遊技機１と接続されており、各遊技機１の稼働管理を行う。具体的には、例えば各遊技機１での入賞がどの程度出ているかの入賞稼働状況や、各遊技機１の使用の有無などを管理する。このホールコンピュータ１１は、ＤＶＲサーバ３にも接続されている。ＤＶＲサーバ３には、ホールコンピュータ１１から、各遊技機１での入賞稼働状況に関するデータが入力され、各遊技機１ごとの入賞確率設定と比較して、入賞確率設定に対して入賞稼働状況が行き過ぎていないかを検出する。なお、各遊技機１ごとの入賞確率の設定は、各遊技機１の設定スイッチを切り換えればよく、したがって各遊技機１ごとの入賞確率の設定値の設定はＤＶＲサーバ３で手入力することになる。
【００３５】
　そして、本形態の監視システムのＤＶＲサーバ３は、〔条件ａ〕ホールコンピュータ１１から入手した各遊技機１ごとの実際の入賞稼働状況を入賞確率設定と比較して、特定の遊技機１の稼働状況が入賞確率設定と異なることを検出した場合、〔条件ｂ〕マグネットスイッチ１ｆの作動により特定の遊技機１のフロントパネル１ｄで開状態が検出され、その開放時間が所定の設定時間を超える場合、の少なくともいずれかの場合に、その検出時刻を、ＣＣＴＶカメラ２で撮影した動画像データに関するログとして記録する。このため、〔条件ｂ〕の開放時間が所定の設定時間を超えなかった場合であっても、〔条件ａ〕によって検出時刻の記録がなされるから、モニタで動画像データを見て不正行為を発見する場合でも、検出時刻を手がかりにし、当たりを付けて特定の遊技機１に対するチェックが可能で、より少ない労力で不正行為の発見精度を高めることができる。
【００３６】
　このような第２実施形態の監視システムについては、ＤＶＲサーバ３とホールコンピュータ１１を別々のハード構成としたが、各機能を統合した単一のハード構成としてもよい。また、第２実施形態では、フロントパネル１ｄの開放時間が所定の設定時間を経過することによって検出時刻を動画像データに関するログとして記録するようにしたが、マグネットスイッチ１ｆを通じた開状態の検出を受けて直ちに、検出時刻を動画像データに関するログとして記録するようにしてもよい。更に、ＤＶＲサーバ３が入賞確率設定と入賞稼働状況との比較を行っているが、ホールコンピュータ１１で比較を行い、ＤＶＲサーバ３ではその結果のみを受けて、異常を検出するようにしてもよい。そして、入賞確率設定を手入力でＤＶＲサーバ３に入力するようにしたが、ＤＶＲサーバ３又はホールコンピュータ１１で各入賞確率を遠隔設定するように構成してもよい。
【図面の簡単な説明】
【００３７】
【図１】第１実施形態による遊技機の監視システムを示す説明図。
【図２】第２実施形態による遊技機の監視システムを示す説明図。
【符号の説明】
【００３８】
　Ｒｉ　店舗
　Ｒｏ　店舗
　ｐｚ　遊技場
　ｐｏ　事務室
　１　　遊技機
　１ａ　発光部
　１ｂ　スピーカ
　１ｃ　表示画面
　１ｄ　フロントパネル
　１ｅ　キーロック部
　１ｆ　マグネットスイッチ（スイッチ）
　１ｇ　ＲＯＭ基板
　２　　ＣＣＴＶカメラ
　３　　ＤＶＲサーバ（コンピュータ）
　４　　モニタ
　５　　スピーカ
　６　　モデム
　７　　インターネット網
　８　　外部端末
　９　　コミュニケーションレシーバ
１０　　通信装置
１１　　ホールコンピュータ
Ｌ１，Ｌ２，Ｌ３　　配線
【図１】
0003099685.tif 000003
【図２】
0003099685.tif 000004